(57)【要約】【課題】処理水中に溶存する酸素の除去効率を向上できる水処理装置及び方法を提供する。【解決手段】バラストタンク３と、バラストタンク３に貯留されたバラスト水に窒素ガスのマイクロバブルを供給するマイクロバブル供給手段１８と、を備えるバラスト水処理装置１Ａにする。この装置１Ａでは、バラストタンク３内のバラスト水に窒素ガスのマイクロバブルが供給される。マイクロバブルは非常に細かな超微細気泡であり、バラスト水との接触面積は非常に大きくなる。さらに、マイクロバブルは気泡径が非常に小さいため、互いの結びつきによる気泡径の成長は抑制され、また、浮上速度が小さく、滞留時間が長い。その結果として、バラスト水中に溶存する酸素を効果的に除去でき、酸素除去効率が向上する。【選択図】図１
2008188502.tif 000002
【特許請求の範囲】
【請求項１】
処理水の貯留槽と、
前記貯留槽に貯留された前記処理水に不活性ガスのマイクロバブルを供給するマイクロバブル供給手段と、
を備えることを特徴とする水処理装置。
【請求項２】
前記マイクロバブル供給手段は、
前記貯留槽に接続されると共に、前記処理水を前記貯留槽に導入する処理水導入ラインと、
前記処理水導入ライン上で前記処理水に前記不活性ガスを導入するガス導入ラインと、
前記処理水導入ライン上で前記処理水中に前記不活性ガスを加圧状態で溶存させるために加圧する加圧手段と、
を有することを特徴とする請求項１記載の水処理装置。
【請求項３】
前記マイクロバブル供給手段は、
前記貯留槽に接続されると共に、前記処理水を前記貯留槽に導入する処理水導入ラインと、
前記処理水導入ライン上で前記処理水に前記不活性ガスを導入するガス導入ラインと、
前記不活性ガスが導入された前記処理水の流動を前記処理水導入ライン上で妨げる抵抗体と前記抵抗体を挟むようにして前記処理水導入ラインの上流側と下流側とを連通する隙間とを有するせん断破砕部と、
を有することを特徴とする請求項１記載の水処理装置。
【請求項４】
前記ガス導入ラインよりも上流側の前記処理水導入ラインと前記貯留槽とに接続されると共に、前記貯留槽内の前記処理水を前記処理水導入ラインに返送する処理水返送ラインを更に備えたことを特徴とする請求項２または３記載の水処理装置。
【請求項５】
前記貯留槽内の液相部の溶存酸素濃度値及び前記貯留槽内の気相部の酸素濃度値の少なくとも一方を測定する測定手段と、前記測定手段から出力される測定値に基づいて、前記加圧手段によってかけられる圧力を制御する圧力制御手段と、を更に備えることを特徴とする請求項２記載の水処理装置。
【請求項６】
前記貯留槽内の液相部の溶存酸素濃度値及び前記貯留槽内の気相部の酸素濃度値の少なくとも一方を測定する測定手段と、前記測定手段から出力される測定値に基づいて、前記処理水の流量を制御する流量制御手段と、を更に備えることを特徴とする請求項３記載の水処理装置。
【請求項７】
前記ガス導入ラインよりも上流側の前記処理水導入ラインと前記貯留槽とに接続されると共に、前記貯留槽内の前記処理水を前記処理水導入ラインに返送する処理水返送ラインを更に備え、
前記流量制御手段は、前記処理水返送ライン及び前記処理水導入ラインを通って循環する前記処理水の循環流量を制御することを特徴とする請求項６記載の水処理装置。
【請求項８】
貯留槽に蓄えられた処理水中の溶存酸素を除去する水処理方法において、
前記貯留槽に貯留された前記処理水に不活性ガスのマイクロバブルを供給することを特徴とする水処理方法。
【請求項９】
前記貯留槽に導入される前記処理水中に加圧処理により不活性ガスを加圧状態で溶存させると共に、前記不活性ガスが加圧状態で溶存する前記処理水を前記貯留槽内で減圧開放することを特徴とする請求項８記載の水処理方法。
【発明の詳細な説明】
【技術分野】
【０００１】
本発明は、水処理装置及び水処理方法に関し、特に、バラスト水として利用される海水や淡水などの溶存酸素を除去する装置及び方法に関する。
【背景技術】
【０００２】
船舶などでは、目的地となる港に到着して積荷や原油などを降ろすと、出港する前にバラスト水を積み込んで浮力を調整する必要がある。バラスト水は、帰港地に戻って積荷や原油などを積み込む際に不要になり、帰港地に到着すると放出される。バラスト水中には、水生生物や微生物さらには細菌などが棲息しており、バラスト水を帰港地で安易に放出すると、帰港地での生態系を崩し、環境破壊を招く虞がある。このような問題を解消するため、例えば、特許文献１には、バラスト水中の溶存酸素を除去し、バラスト水中に棲息する生物を死滅させる水処理用システムが開示されている。
【０００３】
この水処理用システムでは、ベンチュリインジェクタによって処理水中に酸素ストリッピングガスの細かな気泡を生成する。酸素ストリッピングガスは、窒素ガスまたは低酸素濃度の混合ガスからなる。バラスト水中の溶存酸素は、酸素ストリッピングガスの気泡に接触すると、ヘンリーの法則にしたがって気泡に取り込まれ、気泡と一緒にバラスト水から除去される。その結果としてバラスト水中の溶存酸素が減少し、水生生物などが死滅する。
【特許文献１】特表２００５−５２５２２６号公報
【発明の開示】
【発明が解決しようとする課題】
【０００４】
しかしながら、ベンチュリインジェクタを利用した上記の水処理用システムでは、バラスト水の酸素除去効率が十分でなかった。
【０００５】
本発明は、以上の課題を解決することを目的としており、処理水中に溶存する酸素の除去効率を向上できる水処理装置及び方法を提供することを目的とする。
【課題を解決するための手段】
【０００６】
発明者は、上記目的を達成するために鋭意検討したところ、ベンチュリインジェクタで生成される気泡は、気泡径が１００μmよりも大きな気泡が中心であり、気泡径が比較的大きいため、発生する気泡全体の表面積が小さくなり、処理水との接触面積が小さくなって、酸素除去効率が不十分となることが分かった。特に、処理水中に導入された気泡は、径が大きいほど互いに結びついて大きな気泡に成長しやすいため問題であった。そこで、気泡の径が１００μm以下であるマイクロバブルを処理水に導入したところ、酸素除去効率の向上が図れることを見出した。本発明は、上記した知見に基づいて為されたものである。
【０００７】
本発明に係る水処理装置は、処理水の貯留槽と、貯留槽に貯留された処理水に不活性ガスのマイクロバブルを供給するマイクロバブル供給手段と、を備えることを特徴とする。
【０００８】
本発明によれば、マイクロバブル供給手段によって貯留槽内の処理水に不活性ガスのマイクロバブルが供給される。マイクロバブルは非常に細かな超微細気泡であり、処理水との接触面積は非常に大きくなる。さらに、マイクロバブルは気泡径が非常に小さいため、互いの結びつきによる気泡径の成長は抑制され、また、浮上速度が小さく、滞留時間が長い。その結果として、処理水中に溶存する酸素を効果的に除去でき、酸素除去効率が向上する。
【０００９】
さらに、マイクロバブル供給手段は、貯留槽に接続されると共に、処理水を貯留槽に導入する処理水導入ラインと、処理水導入ライン上で処理水に不活性ガスを導入するガス導入ラインと、処理水導入ライン上で処理水中に不活性ガスを加圧状態で溶存させるために加圧する加圧手段と、を有すると好適である。ガス導入ラインによって処理水導入ラインに導入された不活性ガスは、加圧手段での加圧によって処理水中に加圧状態で溶け込む。その処理水が貯留槽内に導入されると、処理水中に溶存する不活性ガスは減圧開放され、マイクロバブルとなって生じる。その結果として、貯留槽内に多量のマイクロバブルを供給でき、マイクロバブルと処理水との接触面積が大きくなって処理水中の酸素除去効率が向上する。
【００１０】
また、マイクロバブル供給手段は、貯留槽に接続されると共に、処理水を貯留槽に導入する処理水導入ラインと、処理水導入ライン上で処理水に不活性ガスを導入するガス導入ラインと、不活性ガスが導入された処理水の流動を処理水導入ライン上で妨げる抵抗体と抵抗体を挟むようにして処理水導入ラインの上流側と下流側とを連通する隙間とを有するせん断破砕部と、を有すると好適である。処理水導入ライン上を流動する処理水は、抵抗体に衝突することによって攪拌される。処理水には、不活性ガスが導入されており、処理水が攪拌されると、処理水中に不活性ガスの気泡が生成される。抵抗体によって流動を妨げられた処理水は、隙間を通過する際に流速が増して下流側に噴射される。処理水中に混在する不活性ガスの気泡は、隙間を通過する際にせん断作用を受けて破砕され、マイクロバブルとなって下流側に放出される。その結果として、貯留槽内に多量のマイクロバブルを供給でき、マイクロバブルと処理水との接触面積が大きくなって処理水中の酸素除去効率が向上する。
【００１１】
さらに、ガス導入ラインよりも上流側の処理水導入ラインと貯留槽とに接続されると共に、貯留槽内の処理水を処理水導入ラインに返送する処理水返送ラインを更に備えると好適である。処理水は、貯留槽内に一時的に滞留すると、不活性ガスのマイクロバブルの発生によって溶存酸素濃度が低下する。この処理水を処理水導入ラインへ戻して循環させるようにすると、溶存酸素濃度が低下した処理水を利用してマイクロバブルを生成でき、処理時間の経過に伴って溶存酸素を確実に減少させることができる。
【００１２】
さらに、上記加圧手段を有するマイクロバブル発生出段を備えた水処理装置では、貯留槽内の液相部の溶存酸素濃度値及び貯留槽内の気相部の酸素濃度値の少なくとも一方を測定する測定手段と、測定手段から出力される測定値に基づいて、加圧手段によってかけられる圧力を制御する圧力制御手段と、を更に備えると好適である。加圧手段によってかけられる圧力が高くなるほど、処理水中に加圧状態で溶存する不活性ガスの量が増え、貯留槽内で大気圧開放されて生成されるマイクロバブルの量は増える。マイクロバブルの生成量を増やすことで、より多くの溶存酸素を除去できる。従って、液相部の溶存酸素濃度値に応じて加圧手段によってかけられる圧力を制御することで、処理水中の溶存酸素濃度に応じた適量のマイクロバブルの生成が可能になり、酸素除去効率が向上する。また、気相部の酸素濃度値も処理水中の溶存酸素濃度の変化に応じて変化する。従って、気相部の酸素濃度値に応じて加圧手段によってかけられる圧力を制御することで、処理水中の溶存酸素濃度に応じたマイクロバブルの生成が可能になり、酸素除去効率が向上する。
【００１３】
さらに、上記せん断破砕部を有するマイクロバブル発生出段を備えた水処理装置では、貯留槽内の液相部の溶存酸素濃度値及び貯留槽内の気相部の酸素濃度値の少なくとも一方を測定する測定手段と、測定手段から出力される測定値に基づいて、処理水の流量を制御する流量制御手段と、を更に備えると好適である。処理水の流量が増えるほど、せん断破砕部によって破砕される不活性ガスの気泡量が増え、貯留槽内に生成されるマイクロバブルの量は増える。マイクロバブルの生成量を増やすことで、より多くの溶存酸素を除去できる。従って、液相部の溶存酸素濃度値に応じて処理水の流量を制御することで、処理水中の溶存酸素濃度に応じた適量のマイクロバブルの生成が可能になり、酸素除去効率が向上する。また、気相部の酸素濃度値も処理水中の溶存酸素濃度の変化に応じて変化する。従って、気相部の酸素濃度値に応じて処理水の流量を制御することで、処理水中の溶存酸素濃度に応じたマイクロバブルの生成が可能になり、酸素除去効率が向上する。
【００１４】
さらに、流量制御手段を備えた水処理装置では、ガス導入ラインよりも上流側の処理水導入ラインと貯留槽とに接続されると共に、貯留槽内の処理水を処理水導入ラインに返送する処理水返送ラインを更に備え、流量制御手段は、処理水返送ライン及び前記処理水導入ラインを通って循環する処理水の循環流量を制御すると好適である。処理水を循環させると、溶存酸素濃度が低下した処理水を利用してマイクロバブルを生成でき、処理時間の経過に伴って溶存酸素は確実に減少する。その結果として、液相部の溶存酸素濃度値及び気相部の酸素濃度値の少なくとも一方の測定値に応じて循環流量を制御することで、処理時間の経過に伴って減少する溶存酸素濃度に応じた適量のマイクロバブルの生成が可能になり、酸素除去効率が向上する。
【００１５】
また、本発明は、貯留槽に蓄えられた処理水中の溶存酸素を除去する水処理方法において、貯留槽に貯留された処理水に不活性ガスのマイクロバブルを供給することを特徴とする。
【００１６】
この水処理方法によれば、不活性ガスをマイクロバブルとして処理水中に供給するので、処理水との接触面積を非常に大きくできる。さらに、マイクロバブルは気泡径が非常に小さいために、互いの結びつきによる気泡径の成長は抑制される。その結果として、処理水中に溶存する酸素を効果的に除去でき、酸素除去効率が向上する。
【００１７】
さらに、上記水処理方法では、貯留槽に導入される処理水中に加圧処理により不活性ガスを加圧状態で溶存させると共に、不活性ガスが加圧状態で溶存する処理水を貯留槽内で減圧開放すると好適である。この方法によれば、貯留槽内に多量のマイクロバブルを発生させることが可能になり、マイクロバブルと処理水との接触面積を大きくできて、処理水中の酸素除去効率が向上する。
【発明の効果】
【００１８】
本発明に係る水処理装置及び水処理方法によれば、処理水中に溶存する酸素の除去効率を向上させることができる。
【発明を実施するための最良の形態】
【００１９】
以下、図面を参照しつつ、本発明に係る水処理装置及び水処理方法の好適な実施形態について説明する。
（第１実施形態）
【００２０】
図１は、第１実施形態に係るバラスト水処理装置を示すブロック図である。バラスト水処理装置１Ａは原油タンカーなどの船舶に搭載され、海水をバラスト水（処理水）として貯留するためのバラストタンク３を備えている。バラストタンク３は、タンカーの長さ方向に仕切られて多数の空間を形成しており、図１では、その一つを示している。バラストタンク３には、バラスト水の導入ライン（処理水導入ライン）５と、バラストタンク３内のバラスト水を導入ライン５に返送するための循環ライン７（処理水返送ライン）とが接続されている。
【００２１】
導入ライン５は、バラスト水として用いる海水を汲み上げて移送するための配管及び管路を開閉する導入水制御弁９などを備えている。また、循環ライン７は、バラストタンク３の底部と導入ライン５とを連通するように接続された配管及び管路を開閉する循環水制御弁１１などを備えている。
【００２２】
導入ライン５の下流端部には、バラスト水を一時的に滞留させるための加圧タンク１３が設けられており、加圧タンク１３には窒素ガス（不活性ガス）が導入されるガス導入ライン１５が接続されている。ガス導入ライン１５には図示しない逆止弁が設けられており、加圧タンク１３内の気相部は閉鎖空間内に閉じこめられた状態になる。
【００２３】
導入ライン５上には、加圧タンク１３内にバラスト水を送り込む加圧ポンプ（加圧手段）１７が設けられている。加圧ポンプ１７は、渦巻きポンプ、ディフューザポンプ、カスケードポンプなどのポンプであり、加圧タンク１３内が大気圧に比べて高圧状態になるようになるように加圧する。加圧ポンプ１７による加圧処理により、加圧タンク１３内に供給された窒素ガスは、加圧状態でバラスト水中に溶け込むようになる。
【００２４】
加圧タンク１３には、バラストタンク３に接続された放出管１９が設けられている。放出管１９の下流端にはノズルが設けられている。バラストタンク３内は大気圧程度の圧力に維持されている。バラスト水は、ノズルからの放出によってバラストタンク３内で減圧開放され、バラスト水中に溶存する窒素はマイクロバブルとなって発生する。マイクロバブルとは、ミリバブル（直径がミリメートルレベルの気泡）に比して、より微細な気泡であり、具体的には、気泡径が０．１μm〜１００μm（より好ましくは１μm〜５０μm）である超微細気泡である。
【００２５】
導入ライン５、ガス導入ライン１５、加圧タンク１３及び加圧ポンプ１７によってマイクロバブル供給手段１８が構成される。窒素ガスからなるマイクロバブルは、バラスト水中の溶存酸素（「ＤＯ」ともいう。）を取り込みながら浮上し、バラストタンク３内の気相部に放出され、その結果、溶存酸素が除去される。バラストタンク３の天井部には、バラストタンク３内を大気圧状態に維持するために脱気部２３が設けられている。気相部に放出された酸素を含むガスは、脱気部２３から適宜に排出される。
【００２６】
また、バラスト水処理装置１Ａは、導入ライン５上の導入水制御弁９と循環ライン７上の循環水制御弁１１とを開閉制御する制御手段２４を備えている。制御手段２４は、図示しないセンサを介してバラストタンク３内の水位を監視している。制御手段２４は、バラストタンク３内の水位が所定の高さに達すると、導入水制御弁９を閉じる。
【００２７】
制御手段２４は、酸素濃度測定手段２５及び溶存酸素測定手段２７に無線または有線によって接続されている。酸素濃度測定手段２５は、バラストタンク３の天井付近に設けられ、溶存酸素測定手段２７は、バラストタンク３に設けられている。
【００２８】
酸素濃度測定手段２５は、バラストタンク３内の気相部の酸素濃度を測定し、測定値を示す信号を制御手段２４に向けて出力する。溶存酸素測定手段２７は、バラストタンク３内に蓄えられたバラスト水中の溶存酸素を測定し、測定値を示す信号を制御手段２４に向けて出力する。
【００２９】
制御手段２４は、加圧ポンプ１７に有線または無線によって接続されている。制御手段２４は、圧力制御手段２４ａとして機能し、溶存酸素測定手段２７から出力された測定値に基づいて、加圧ポンプ１７の駆動を制御し、加圧タンク１３内にかけられる圧力を制御する。
【００３０】
例えば、海から汲み上げられたバラスト水をバラストタンク３に導入している場合には、圧力制御手段２４ａは、加圧タンク１３内の圧力が初期設定圧（例えば、０．４５ＭＰａ）に維持されるように加圧ポンプ１７を制御している。しかしながら、圧力制御手段２４ａは、溶存酸素測定手段２７からの測定値が基準となる溶存酸素濃度値よりも大きい場合には、加圧タンク１３内の圧力が初期設定圧よりも高圧（例えば、０．６Ｍｐａ）になるように加圧ポンプ１７の駆動を制御する。すると、バラスト水中に加圧状態で溶存する窒素ガスの量が増え、バラスト水を減圧開放した際に生成されるマイクロバブルの量が増える。その結果として、単位時間当りに生成されるマイクロバブルとバラスト水との接触面積が拡大して酸素除去効率が向上し、バラストタンク３内の溶存酸素濃度を短時間で低下させる。
【００３１】
また、制御手段２９は、溶存酸素測定手段２７から出力された測定値が所定値よりも高いと判断した場合には、循環水制御弁１１を開いてバラスト水を船体内で循環させる。循環ライン７は、加圧ポンプ１７よりも上流側の導入ライン５に接続されている。循環ライン７を通って導入ライン５に返送されたバラスト水は、マイクロバブルの生成に利用される。バラスト水導入時の溶存酸素の除去が不十分な場合や、溶存酸素濃度が何らかの要因によって上昇した場合などであっても、バラスト水を循環させることでバラスト水中の溶存酸素濃度を効果的に低減できる。
【００３２】
さらに、バラスト水が船体内で循環している場合には、制御手段２９の圧力制御手段２４ａは、溶存酸素測定手段２７からの測定値が、所定値、すなわち、生物が死滅する環境であると判断できる溶存酸素濃度値よりも低くなると、加圧ポンプ１７の駆動を停止する。その結果として、加圧ポンプ１７の無駄な駆動を防止でき、効率的な処理が可能になる。
【００３３】
また、圧力制御手段２４ａは、溶存酸素濃度値に加えて、酸素濃度測定手段２５から出力された測定値も監視しており、酸素濃度測定手段２５及び溶存酸素測定手段２７の各測定値を複合させて加圧ポンプ１７の駆動を制御している。バラスト水中の溶存酸素濃度が増えると、マイクロバブルと一緒にバラストタンク３の気相部に放出される酸素の量も増えて気相部の酸素濃度が高くなる。逆に、バラスト水中の溶存酸素濃度が減少すると、気相部の酸素濃度は低下する。このように、バラストタンク３内の気相部の酸素濃度は、バラスト水中の溶存酸素濃度の変化に応じて変化する。圧力制御手段２４ａは、溶存酸素濃度値と酸素濃度値との両方の測定値に基づいて加圧ポンプ１７の駆動を制御することにより、溶存酸素測定手段２７に何らかの不具合が生じた場合でもバラスト水中の溶存酸素を確実に低減させることができる。なお、圧力制御手段２４ａによる加圧ポンプ１７の駆動制御は、溶存酸素測定手段２７及び酸素濃度測定手段２５のどちらか一方のみから出力された測定値に基づいて行ってもよい。
【００３４】
バラストタンク３の天井部には、脱酸素剤を収容するケースを有する脱酸素手段３１が固定されている。脱酸素剤は、酸化作用を利用して気相部の酸素を除去する物質からなる。脱酸素剤を収容するケースは、脱酸素手段３１から取り外して交換できるように構成されている。脱酸素手段３１を設けることにより、気相部における酸素ガスの分圧を予め低く抑えておくことができ、酸素ガスがバラスト水中に溶解してしまうことを防止できる。なお、脱酸素手段３１に代えて、窒素ガスや二酸化炭素ガスなどをバラストタンク３の気相部に送り込み、気相部の酸素ガスの分圧を低下させるようにした脱酸素手段を設けてもよい。
【００３５】
以上のバラスト水処理装置１Ａによって実行されるバラスト水処理方法について説明する。バラスト水処理装置１Ａの圧力制御手段２４ａは、加圧ポンプ１７を駆動制御し、マイクロバブルをバラストタンク３内に供給するために加圧処理を施す。加圧タンク１３内の圧力は、この加圧処理によって、所定の圧力まで高められる。所定の圧力とは、バラスト水中に窒素ガスが加圧状態で溶存し、そのバラスト水が大気圧下で減圧開放された際に窒素ガスのマイクロバブルが発生する圧力である。具体的には、所定の圧力は、０．２ＭＰａ〜０．８ＭＰａの範囲に含まれる圧力であるが、加圧ポンプ１７の駆動に要するエネルギーとマイクロバブルの生成量とを考慮すると、０．４５ＭＰａ〜０．６ＭＰａの範囲に含まれる圧力とするのが好ましい。
【００３６】
窒素ガスを加圧状態で溶存するバラスト水は、ノズルを介してバラストタンク３内に減圧開放され、バラストタンク３内には窒素ガスのマイクロバブルが生成される。マイクロバブルにはバラスト水中の溶存酸素が取り込まれ、マイクロバブルと一緒にバラスト水中の溶存酸素が除去される。バラスト水中の溶存酸素を除去することにより、バラスト水中に棲息する生物を死滅させることが可能になる。
【００３７】
以上のバラスト水処理装置１Ａ及びバラスト水処理方法によれば、マイクロバブル供給手段１８によってマイクロバブルをバラストタンク３内のバラスト水に供給できる。マイクロバブルは超微細な気泡であり、従来の水処理用システムで生成されていたミリバブルに比べてバラスト水との接触面積は非常に大きくなる。さらに、マイクロバブルは気泡径が非常に小さいため、互いの結びつきによる気泡径の成長は抑制される。また、マイクロバブルは浮上速度が小さいので滞留時間が長くなる。その結果として、単位時間当りの溶存酸素の除去効率は高まり、処理時間の短縮につながる。さらに、処理時間の短縮によって窒素ガスなどの不活性ガスの使用量の低減、バラスト水の処理に伴う各装置の駆動時間の短縮、電力費の削減及び維持管理コストの削減などが可能になる。
【００３８】
さらに、バラスト水処理装置１Ａでは、バラスト水に導入された窒素ガスは、加圧ポンプ１７での加圧によってバラスト水中に加圧状態で溶け込む。そのバラスト水は、バラストタンク３内で減圧開放され、マイクロバブルとなって発生する。その結果として、バラストタンク３内に多量のマイクロバブルを供給でき、マイクロバブルと処理水との接触面積が大きくなって処理水中の酸素除去効率が向上する。
【００３９】
さらに、バラスト水処理装置１Ａの圧力制御手段２４ａは、バラストタンク３内の液相部の溶存酸素濃度値及び気相部の酸素濃度値を監視しており、各測定値に基づいて加圧タンク１３内の圧力を制御している。その結果として、バラスト水中の溶存酸素濃度及び気相部の酸素濃度に応じたマイクロバブルの生成が可能になり、酸素除去効率が向上する。特に、本実施形態では、液相部の溶存酸素濃度値及び気相部の酸素濃度値の両方を複合して監視するため、酸素濃度測定手段２５または溶存酸素測定手段２７のいずれか一方に不具合が生じた場合であっても、バラスト水中の溶存酸素濃度に応じたマイクロバブルの生成が可能であり、バラスト水中の溶存酸素を確実に除去できる。
【００４０】
さらに、バラスト水処理装置１Ａでは、バラストタンク３内に蓄えられているバラスト水中の溶存酸素濃度に応じてバラスト水を船体内で循環させ、循環するバラスト水を利用してマイクロバブルをバラストタンク３内に供給している。その結果として、例えば、バラスト水導入時の溶存酸素の除去が不十分な場合や、航海中に何らかの要因によってバラスト水中の溶存酸素濃度が上昇した場合などであっても、バラスト水中の溶存酸素濃度を効果的に低減できる。特に、バラスト水を循環させる場合には、新たな海水を導入する場合に比べて、処理時間の経過に伴う溶存酸素濃度の低下効率は高くなる。その結果として、バラスト水処理装置１Ａでは、短時間で溶存酸素濃度を低下させることができる。
（第２実施形態）
【００４１】
次に、第２実施形態に係るバラスト水処理装置について説明する。図２は、第２実施形態に係るバラスト水処理装置を示すブロック図である。なお、第２実施形態に係るバラスト水処理装置１Ｂは、第１実施形態に係るバラスト水処理装置１Ａと同様の構成を備えており、同様の構成については、バラスト水処理装置１Ａと同一の符号を付して詳細説明を省略する。
【００４２】
バラスト水処理装置１Ｂは、海水を汲み上げてバラスト水（処理水）としてバラストタンク３内に導入する導入ライン（処理水導入ライン）４１と、バラストタンク３内のバラスト水を導入ライン４１に返送する循環ライン（処理水返送ライン）４３とを備えている。導入ライン４１には導入水制御弁４５が設けられ、循環ライン４３には循環水制御弁４７が設けられている。
【００４３】
導入ライン４１には、窒素ガス（不活性ガス）が導入されるガス導入ライン４９が接続されている。ガス導入ライン４９よりも下流側の導入ライン４１上には、バラスト水と窒素ガスとを混ぜ合わせながら高速で吐出する気液混合ポンプ５０が設けられている。
【００４４】
導入ライン４１の下流端部には、バラストタンク３内に連通している移送管５１が設けられている。移送管５１には、図３に示すように、管路を塞ぐ板状の抵抗体５３Ａ，５３Ｂ，５３Ｃが、管軸線を直交するように設けられている。上流側の先頭の抵抗体５３Ａには、弓状の隙間５５Ａが上部に形成され、２列目の抵抗体５３Ｂには隙間５５Ｂが下部に形成され、３列目の抵抗体５３Ｃには隙間５５Ｃが上部に形成されている。先頭の抵抗体５３Ａに形成された隙間５５Ａは、抵抗体５３Ａを挟むようにして導入ライン４１の上流側と下流側とを連通している。同様に、２列目、３列目の抵抗体５３Ｂ，５５Ｃに形成された隙間５５Ｂ，５５Ｃも、それぞれ抵抗体５３Ｂ，５５Ｃを挟むようにして導入ライン４１の上流側と下流側とを連通している。気液混合ポンプ５０から吐出されたバラスト水は、先頭の抵抗体５３Ａに衝突した後、各抵抗体５３Ａ，５３Ｂ，５３Ｃの隙間５５Ａ，５５Ｂ，５５Ｃを通って蛇行しながら流動する。抵抗体５３Ａ，５３Ｂ，５３Ｃ及び隙間５５Ａ，５５Ｂ，５５Ｃによってせん断破砕部５７が構成される。
【００４５】
図２に示すように、導入ライン４１、ガス導入ライン４９、気液混合ポンプ５０及びせん断破砕部５７によってマイクロバブル供給手段５８が構成される。導入ライン４１を流動するバラスト水は、気液混合ポンプ５０の駆動によって高速でせん断破砕部５７の抵抗体５３Ａ（図３参照）に衝突し、攪拌される。バラスト水には、窒素ガスが導入されており、バラスト水が攪拌されると、バラスト水中に窒素ガスの微細気泡が生成される。抵抗体５３Ａによって流動を妨げられたバラスト水は、隙間５５Ａを通過する際に流速が増して下流側に噴射され、さらに、蛇行しながら２列目、３列目の抵抗体５３Ｂ，５３Ｃの各隙間５５Ｂ，５５Ｃを通過する。バラスト水中に混在する窒素ガスの微細気泡は、各隙間５５Ａ，５５Ｂ，５５Ｃを通過する際にせん断作用を受けて破砕され、マイクロバブルとなって下流側に放出される。その結果として、バラストタンク３内に多量のマイクロバブルが供給され、単位時間当りに生成されるマイクロバブルとバラスト水との接触面積が大きくなってバラスト水中の酸素除去効率が向上する。
【００４６】
また、バラスト水処理装置１Ａは、導入ライン４１上の導入水制御弁４５と循環ライン４３上の循環水制御弁４７とを開閉制御する制御手段５９を備えている。制御手段５９は、図示しないセンサを介してバラストタンク３内の水位を監視している。制御手段５９は、バラストタンク３内の水位が所定の高さに達すると、導入水制御弁４５を閉じる。
【００４７】
制御手段５９は、第１実施形態に係るバラスト水処理装置１Ａと同様に、酸素濃度測定手段２５及び溶存酸素測定手段２７に無線または有線によって接続されている。さらに、制御手段５９は、気液混合ポンプ５０に有線または無線によって接続されている。
【００４８】
制御手段５９は、流量制御手段５９ａとして機能し、溶存酸素測定手段２７から出力された測定値に基づいて、気液混合ポンプ５０の駆動を制御し、導入ライン４１を流動するバラスト水の流量を制御する。例えば、気液混合ポンプ５０から吐出されるバラスト水の管内流速が上昇すると、せん断破砕部５７に送り込まれるバラスト水の流量が増え、せん断破砕部５７で生成されるマイクロバブルの量は増える。流量制御手段５９ａは、溶存酸素測定手段２７から出力された測定値及び酸素濃度測定手段２５によって測定された測定値を複合して監視し、溶存酸素濃度に応じた適量のマイクロバブルを生成できるように気液混合ポンプ５０の駆動を制御している。
【００４９】
また、制御手段５９は、溶存酸素測定手段２７から出力された測定値が所定値よりも高いと判断した場合には、循環水制御弁４７を開いてバラスト水を船体内で循環させる。循環ライン４３は、気液混合ポンプ５０よりも上流側の導入ライン４１に接続されている。循環ライン４３を通って導入ライン４１に返送されたバラスト水は、マイクロバブルの生成に利用される。バラスト水導入時の溶存酸素の除去が不十分な場合や、溶存酸素濃度が何らかの要因によって上昇した場合などであっても、バラスト水を循環させることでバラスト水中の溶存酸素濃度を効果的に低減できる。
【００５０】
さらに、バラスト水が船体内で循環している場合には、制御手段５９の流量制御手段５９ａは、溶存酸素測定手段２７や酸素濃度測定手段２５からの測定値に応じて気液混合ポンプ５０の駆動を制御する。すなわち、流量制御手段５９ａは、溶存酸素濃度が何らかの要因によって上昇した場合などには、バラスト水の循環流量を増加させ、バラストタンク３内に供給されるマイクロバブルの量を増やす。逆に、流量制御手段５９ａは、溶存酸素濃度が、所定値、すなわち、生物が死滅する環境であると判断できる溶存酸素濃度値よりも低くなると、バラスト水の循環を停止させる。このように、バラストタンク３の液相部の溶存酸素濃度値及び気相部の酸素濃度値の各測定値に応じてバラスト水の循環流量を制御することにより、処理時間の経過に伴って減少する溶存酸素濃度に応じたマイクロバブルの生成が可能になり、酸素除去効率が向上する。
【００５１】
なお、本実施形態に係る流量制御手段５９ａは、溶存酸素測定手段２７及び酸素濃度測定手段２５から出力された各測定値を複合的に関して、気液混合ポンプ５０の駆動制御を行ってバラスト水の流量、特に循環流量を制御している。しかしながら、流量制御手段５９ａは、溶存酸素測定手段２７及び酸素濃度測定手段２５のどちらか一方のみから出力された測定値に基づいて、気液混合ポンプ５０の駆動制御を行うようにしてもよい。
【００５２】
バラスト水処理装置１Ｂによれば、バラスト水処理装置１Ａと同様に、単位時間当りの溶存酸素の除去効率は高まり、処理時間の短縮につながる。さらに、処理時間の短縮によって窒素ガスなどの不活性ガスの使用量の低減、バラスト水の処理に伴う各装置の駆動時間の短縮、電力費の削減及び維持管理コストの削減などが可能になる。さらに、バラスト水処理装置１Ｂでは、せん断破砕部５７を備えたマイクロバブル供給手段５８により、バラストタンク３内に多量のマイクロバブルを発生させることが可能になり、マイクロバブルと処理水との接触面積が大きくなって処理水中の酸素除去効率が向上する。
【００５３】
さらに、バラスト水処理装置１Ｂの流量制御手段５９ａは、バラストタンク３内の液相部の溶存酸素濃度値または気相部の酸素濃度値を監視しており、各測定値に基づいてバラスト水の流量、特に循環流量を制御している。その結果として、バラスト水中の溶存酸素濃度及び気相部に残存する酸素ガスに応じたマイクロバブルの生成が可能になり、酸素除去効率が向上する。
【００５４】
さらに、バラスト水処理装置１Ｂでは、バラストタンク３内に蓄えられているバラスト水中の溶存酸素濃度に応じてバラスト水を船体内で循環させ、循環するバラスト水を利用してマイクロバブルをバラストタンク３内に供給している。特に、バラスト水処理装置１Ｂでは、バラスト水中の溶存酸素濃度に応じて循環流量を制御している。その結果として、バラスト水処理装置１Ｂでは、処理時間の経過に伴って減少する溶存酸素濃度に応じたマイクロバブルの生成が可能になり、酸素除去効率が向上する。
【００５５】
以上、本発明に係る水処理装置に関して、船舶に搭載されるバラスト水処理装置を例にして説明した。しかしながら、本発明は上記各実施形態に限定されない。例えば、バラスト水用の海水などを汲み上げて貯留するタンク（貯留槽）を港に設置し、このタンク内の処理水にマイクロバブルを供給するマイクロバブル供給手段を設けた水処理装置にしてもよい。
【００５６】
また、せん断破砕部を構成する抵抗体及び隙間に関しては、上記の実施形態に限定されず、管路を塞ぐ抵抗体の中央に円形のオリフィス（隙間）を設けたり、単数または複数のスリット（隙間）を抵抗体に設けるようにしてもよい。
【００５７】
また、不活性ガスは、窒素ガスの他に、二酸化炭素、アルゴン、ヘリウムなどであってもよい。不活性ガスは、経済性や取り扱いの容易生などを勘案して適宜に選択できる。なお、水に対する溶解度が大きいほど処理効率が向上する。この溶解度は、気温２５°Ｃ、気圧１atmの状態において、高い方から順に示せば、二酸化炭素は１．０５（ｍｌ／水−ｍｌ）、アルゴンは０．０３１（ｍｌ／水−ｍｌ）、窒素は０．０１５（ｍｌ／水−ｍｌ）、ヘリウムは０．００９（ｍｌ／水−ｍｌ）であり、酸素は０．０２９（ｍｌ／水−ｍｌ）である。
【図面の簡単な説明】
【００５８】
【図１】本発明の第１実施形態に係るバラスト水処理装置のブロック図である。
【図２】本発明の第２実施形態に係るバラスト水処理装置のブロック図である。
【図３】本発明の第２実施形態に係るせん断破砕部を示し、（ａ）はせん断破砕部の側断面図、（ｂ）は（ａ）のｂ−ｂ線に沿った断面図である。
【符号の説明】
【００５９】
１Ａ，１Ｂ，１Ｃ…バラスト水処理装置、３…バラストタンク、５，４１…導入ライン（処理水導入ライン）、７，４３…循環ライン（処理水返送ライン）、１５，４９…ガス導入ライン、１７…加圧ポンプ（加圧手段）、１８，５８…マイクロバブル供給手段、２５…酸素濃度測定手段（測定手段）、２７…溶存酸素測定手段（測定手段）、２４，５９…制御手段、２４ａ…圧力制御手段、５９ａ…流量制御手段、５３Ａ，５３Ｂ，５３Ｃ…抵抗体、５５Ａ，５５Ｂ，５５Ｃ…隙間、５７…せん断破砕部。
【図１】
2008188502.tif 000003
【図２】
2008188502.tif 000004
【図３】
2008188502.tif 000005